(57)【要約】【課題】  遠隔地にいる人同士の円滑なコミュニケーションを促すことができ、人間関係の維持・構築と利用者のＱｏＬ向上に貢献することができる固定型通信端末等を提供することを目的とするものである。【解決手段】  インターネット網接続制御手段と、固定型通信端末の周囲の環境と上記固定型通信端末の近辺の人間の活動状況とバイタル情報とをセンシングするセンサ情報入力取得手段と、合図取得手段と、緊急合図取得手段と、入出力制御手段と、インターネット網または電話網で接続される相手側の状態を表示する表示手段と、音声通話のための音声入力手段と、音声出力手段と、音声入出力制御手段と、映像通信のための映像入力手段と、映像出力手段と、映像入出力制御手段と、センサ情報通信と音声通話と映像通信とを切り替える入出力切り替え手段と、入出力切り替え制御手段とを有する。【選択図】  図１
2006085390.tif 000002
【特許請求の範囲】
【請求項１】
電話網接続手段またはインターネット網接続手段と、生活活動情報送受信制御手段と緊急通報生成手段と生活活動情報加工手段とバイタル情報加工手段とを実現するメインプログラムと、サービス管理データベースと、端末・経路管理データベースと、緊急通報先管理データベースと、生活活動情報管理データベースと、バイタル情報管理データベースと、個人情報管理データベースと、複数の固定型通信端末または携帯型通信端末間で、リアルタイムな生活活動情報の送受信を可能にする機能と、固定型通信端末または携帯型通信端末から送られた生活活動情報とバイタル情報とを蓄積、加工し、リアルタイムまたは集約してネットワーク上の他の機器に送信する機能と、緊急通報を生成して適切な緊急通報先に自動通報する機能とのうちの少なくとも１つの機能とを具備し、インターネット通信網または電話網に接続される情報集約・蓄積サーバと；
見守り専用端末、ＰＣ、電話のうちの少なくとも１つと；
携帯型通信端末、固定型通信端末、電話のうちの少なくとも１つと；
を有することを特徴とする通信システム。
【請求項２】
インターネット網接続制御手段と；
固定型通信端末の周囲の環境と、上記固定型通信端末の近辺の人間の活動状況と、バイタル情報とをセンシングするセンサ情報取得手段と；
合図取得手段と；
緊急合図取得手段と；
入出力制御手段と；
インターネット網または電話網で接続される相手側の状態を表示する表示手段と；
音声通話のための音声入力手段と；
音声出力手段と；
音声入出力制御手段と；
映像通信のための映像入力手段と；
映像出力手段と；
映像入出力制御手段と；
センサ情報通信と音声通話と映像通信とを切り替える入出力切り替え手段と；
入出力切り替え制御手段と；
を有することを特徴とする固定型通信端末。
【請求項３】
ＵＳＢ、ＩＥＥＥ１３９４、Ｂｌｕｅｔｏｏｔｈ、屋内無線ＬＡＮ、電灯線ＬＡＮのうちの少なくとも１つのインタフェースを具備する電話機またはＦＡＸ端末に接続される固定型通信端末において、
ＵＳＢ、ＩＥＥＥ１３９４、Ｂｌｕｅｔｏｏｔｈ、屋内無線ＬＡＮ、電灯線ＬＡＮのうちの少なくとも１つの接続制御手段と；
固定型通信端末の周囲の環境と、上記固定型通信端末の近辺の人間の活動状況と、バイタル情報とをセンシングするセンサ情報取得手段と；
合図取得手段と；
緊急合図取得手段と；
入出力制御手段と；
センサ情報通信、音声通話、映像通信を切り替える入出力切り替え手段と；
入出力切り替え制御手段と；
音声通話、映像通信、インターネット網、電話網のうちの少なくとも１つによって接続される相手側の状態の表示を、電話機またはＦＡＸ端末の機能を利用し、電話機またはＦＡＸ端末上のアプリケーションまたは固定型通信端末から制御する表示制御手段と；
を有することを特徴とする固定型通信端末。
【請求項４】
携帯型通信端末の周辺の環境、上記携帯型通信端末の近辺の人間の活動状況、バイタル情報をセンシングするセンサ情報取得手段と；
上記センサ情報取得手段が取得したセンサ情報と、上記携帯型通信端末が保有するプッシュボタンの利用頻度、開閉頻度、電波強度、メールや通話の時間・回数のうちの少なくとも１つの利用履歴とを収集するセンサ情報入出力制御手段と；
音声通話、映像通信、インターネット網、電話網のうちの少なくとも１つによって接続される相手側の状態を表示手段に表示制御する表示制御手段と；
を有することを特徴とする携帯型通信端末。
【請求項５】
請求項２または請求項３において、
狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサを有することを特徴とする固定型通信端末。
【請求項６】
請求項２または請求項３において、
狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサが取得したセンサ情報に基づいて、使用する入出力デバイス、通信手段を自動的に切り替えることを特徴とする固定型通信端末。
【請求項７】
請求項２において、
インターネット網または電話網で接続された相手側の状態を表示し、切り替えボタン、接続先選択ボタン、手書きパネルを具備し、電話、テレビ電話、メール送受信を行うための表示部を具備する表示手段を有することを特徴とする固定型通信端末。
【請求項８】
電話網接続手段またはインターネット網接続手段と；
生活活動情報送受信制御手段と緊急通報生成手段と生活活動情報加工手段とバイタル情報加工手段とを実現するメインプログラムと；
サービス管理データベースと；
端末・経路管理データベースと；
緊急通報先管理データベースと；
生活活動情報管理データベースと；
バイタル情報管理データベースと；
個人情報管理データベースと；
複数の固定型通信端末または携帯型通信端末間で、リアルタイムな生活活動情報の送受信を可能にする機能と、固定型通信端末または携帯型通信端末から送られた生活活動情報とバイタル情報とを蓄積、加工し、リアルタイムまたは集約してネットワーク上の他の機器に送信する機能と、緊急通報を生成して適切な緊急通報先に自動通報する機能とのうちの少なくとも１つの機能と；
を有することを特徴とする情報集約・蓄積サーバ。
【請求項９】
請求項８において、
上記固定型通信端末から受信した複数の焦電型赤外線センサ値、複数のガスセンサ値、光量センサ値、温度センサ値、音圧値を、利用者の現在の在室情報、室内活動度情報、来客情報、起床就寝情報、食事情報、快適度情報に加工する情報加工手段を有することを特徴とする情報集約・蓄積サーバ。
【請求項１０】
請求項８において、
上記固定型通信端末から受信した焦電型赤外線センサのＯＮ／ＯＦＦ状態と、光量センサ値とスレッショルド値との比較とによって、在室情報を生成する在室情報生成手段を有することを特徴とする情報集約・蓄積サーバ。
【請求項１１】
請求項８において、
上記固定型通信端末から受信した複数の焦電型赤外線センサのＯＮ状態の発生頻度と、ＣＯ２センサ値の上昇の検出値とによって、狭い範囲内での室内活動度情報を生成することを特徴とする情報集約・蓄積サーバ。
【請求項１２】
請求項８において、
上記固定型通信端末から受信した複数の狭指向性の焦電型赤外線センサのＯＮ状態の発生頻度および複数のセンサが時間的にずれてＯＮ状態になる時系列変化と、ＣＯ２センサ値の上昇の検出値とによって、広い範囲内での室内活動度情報を生成することを特徴とする情報集約・蓄積サーバ。
【請求項１３】
請求項８において、
上記固定型通信端末から受信した複数の狭指向性の焦電型赤外線センサのＯＮ状態の同時発生頻度および時系列変化と、通過型赤外線センサ値、ＣＯ２センサ値の上昇の検出値、音圧値の上昇の検出値の少なくとも１つとによって、来客情報を生成することを特徴とする情報集約・蓄積サーバ。
【請求項１４】
請求項８において、
上記固定型通信端末から受信した焦電型赤外線センサのＯＮ／ＯＦＦ状態と、光センサ値、温度センサ値、音圧値のうちの少なくとも１つとによって、起床就寝情報を生成することを特徴とする情報集約・蓄積サーバ。
【請求項１５】
請求項８において、
複数の焦電型赤外線センサのＯＮ状態の発生頻度および時系列変化、特定の焦電型赤外線センサのＯＮ状態、ＣＯ２センサ値、調理臭センサ値、水蒸気センサ値のうちの少なくとも１つによって、食事中であることを示す食事情報を生成することを特徴とする情報集約・蓄積サーバ。
【請求項１６】
請求項８において、
光量センサ値、温度センサ値、音圧値と、適正値を比較することによって生活環境情報を生成することを特徴とする情報集約・蓄積サーバ。
【請求項１７】
請求項８において、
在室情報、来客情報に基づいて、短期的または長期的な個人傾向として、コミュニケーション度情報を生成することを特徴とする情報集約・蓄積サーバ。
【請求項１８】
請求項８において、
バイタル情報、センサ情報から生成した体調情報、生理的行動情報、能動的行動情報、生活環境情報である各情報種別に基づいて、
各利用者の各情報の値の変化を算出し、要即時対応、要早期連絡、要カウンセリング・生活指導を判断し、
上記情報種別と緊急度とに応じて、予め設定した各状況に適切な緊急通報先に自動通報することを特徴とする情報集約・蓄積サーバ。
【請求項１９】
請求項８において、
バイタル情報、センサ情報に基づいて生成した体調情報、生理的行動情報、能動的行動情報、生活環境情報である各情報種別の蓄積データを、予め設定した各状況に適切な提供先に送信することを特徴とする情報集約・蓄積サーバ。
【請求項２０】
電話網接続手段またはインターネット網接続手段と；
出力制御手段と；
アラーム管理データベースと；
緊急状態表示手段と；
表示パタン管理データベースと；
生活活動情報表示手段と；
バイタル情報表示手段と；
を有し、高齢者の緊急時における対応に利用する緊急状態情報、高齢者の生活指導やカウンセリングに利用する生活スタイル情報、身体的または心情的変化の早期発見を促す高齢者の最近の状態およびバイタル情報、現在の状態およびバイタル情報を表示する機能、または、高齢者とのリアルタイムなコミュニケーションを行う機能を有することを特徴とする見守り専用端末。
【請求項２１】
請求項２０において、
在室／不在を示すインジケータと、来客の有無を示すインジケータと、起床状況を示すインジケータと、食事中か否かを示すインジケータと、生活空間の快適度を示すインジケータと、活動度を示すインジケータとを有し、情報集約・蓄積サーバで加工した情報であって、利用者の現在の情報を表示することを特徴とする見守り専用端末。
【請求項２２】
請求項２０において、
利用者のデータの統計値、今日１日または最近数日の利用者のデータ値および同年代の統計値を表示し、対外接触度、室内活動度、睡眠時間、食事回数に関するインジケータを有し、最近の利用者とその生活空間の状態とを表示することを特徴とする見守り専用端末。
【請求項２３】
請求項２０において、
利用者のデータの統計値および同年代の統計値を表示し、対外接触度、室内活動度、睡眠時間、食事回数に関するインジケータと、個人情報を示し、入力することも可能なプロフィール欄とを有し、利用者の生活習慣や生活スタイルを表示することを特徴とする見守り専用端末。
【請求項２４】
請求項２０において、
情報集約・蓄積サーバで加工した生活活動情報、バイタル情報のうちで、少なくとも1つの情報が、設定したスレッショルド値を超えた場合に、自動的に異常事態であると判別し、アラームを点灯するか、または電話網、インターネット網を経由して。自動的に通報することを特徴とする見守り専用端末。
【請求項２５】
請求項２０において、
多数の利用者のアラーム状況を、１つの画面で同時に参照することができ、並び替えを行うことを特徴とする見守り専用端末。
【請求項２６】
請求項２０において、
アラームを点灯する機能、または、電話網やインターネット網を経由して自動的に通報する条件であるスレッショルドを個人毎に設定する機能を有することを特徴とする見守り専用端末。
【請求項２７】
請求項２０において、
リアルタイム情報、最近の情報、長期的な情報のうちで、少なくとも１つの情報を表示し、それらの表示画面を、階層的にリンクさせ、切り替えて表示することを特徴とする見守り専用端末。
【請求項２８】
請求項８において、
生成したバイタル情報、生理的行動情報、能動的行動情報、生活環境情報、それに基づいた専門家によるカウンセリング結果のうちの少なくとも１つを、電話機、ＦＡＸ端末、携帯型通信端末のうちの少なくとも１つの液晶画面に表示するか、またはＦＡＸで通知することを特徴とする情報集約・蓄積サーバ。
【請求項２９】
請求項４において、
狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサを有することを特徴とする携帯型通信端末。
【請求項３０】
請求項４において、
狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサが取得したセンサ情報に基づいて、使用する入出力デバイス、通信手段を自動的に切り替えることを特徴とする携帯型通信端末。
【発明の詳細な説明】
【技術分野】
【０００１】
本発明は、メディアコミュニケーションシステム、データ収集・解析システム、福祉サービス、健康促進サービスに関するものである。
【背景技術】
【０００２】
［福祉サービス分野］
高齢者の急増に伴い、身体的な介護を中心とする福祉サービスが充実しつつある。しかし、一方で、家族と離れ、自立して生活する元気な高齢者（高齢者の約８０％を占める）と、その周辺の人々とに対するケア、特に日々の精神的サポートは、軽視されている。長寿命化、医療体制の充実、生活スタイルや住環境の変化から、今後も、独居または高齢者のみの世帯は益々増え続けることが予想される。
【０００３】
従来の福祉サービス分野では、次の（１）〜（４）のシステムが知られている。
【０００４】
（１）  緊急通報システム  
現行の在宅高齢者支援サービスとして、多くの自治体が実際に導入している緊急通報システムがあり、この緊急通報システムにおいて、ボタンの押し易さや文字の見易さを改善した装置や、通話機能や画像添付機能等、様々な機能を付加したサービスが考えられている（たとえば、非特許文献１参照）。
【０００５】
（２）  バイタル情報のモニタリングによる異常の自動検出システム  
緊急事態の検出の精度を向上させるために、利用者の身にバイタル情報計測機器をつけ、バイタル情報をモニタリングすることによって、身体の異常を自動的に検出するシステムが提案されている（たとえば、特許文献１参照）。
【０００６】
（３）  生活モニタリングシステム  
平常時の見守りの重要性に着目し、家庭用電気製品の操作状況をモニタリングすることによって、安否情報を得ようとするシステムが提案されている。このシステムでは、離れて暮らす家族が、高齢者の安否情報を得て安心するシステムであり、見守る側のメリットを重視した一方向のモデルを想定している（たとえば、非特許文献２参照）。
【０００７】
（４）  活動情報の相互伝達をベースとするシステム  
上記従来例のように「高齢者＝社会的弱者、見守る人（福祉専門機関や家族）＝社会的強者」という偏ったパワーバランスを前提としない見守りシステムとして、活動情報のやり取りをベースとするシステムが提案されている。このシステムは、センサを有する活動情報通信端末を用い、活動情報を自動的に取得し、この取得した情報を、遠隔地にいる人同士で伝達し合うシステムである。
【０００８】
このように、活動情報を対等にやり取りすることによって、プライバシヘの考慮や、見守られる側の負債感（申し訳なさ）や、自立心の侵害、見守る側の負担感を軽減する効果を期待することができる（たとえば、特許文献２参照）。
【０００９】
［健康促進サービス分野］
健康の維持・促進は、高齢者のみならず、現代人の重要な関心事の１つであり、次の在宅健康管理システムが知られている。
【００１０】
従来の在宅健康管理システムは、自宅において、利用者本人が、バイタルセンサ等を有する装置を用いて、自身のバイタル情報を収集し、ＰＣに蓄積し、管理し、収集したバイタル情報を、サービス提供者に送信し、カウンセリングを受けるサービスが知られている（たとえば、特許文献３参照）。
【非特許文献１】「緊急通報装置・無線ペンダント」東洋計器株式会社製品、インターネット（ＵＲＬ：http://www.toyo-keiki.co.jp/product/anshin/ecu100_wpt100.htm）
【特許文献１】特開平９−１８７４３３号公報
【非特許文献２】「みまもりホットライン」象印マホービン株式会社運営、インターネット（ＵＲＬ：http://www.mimamori.net/service/index.html）
【特許文献２】特開２００３−１５２９０２号公報
【特許文献３】特開平９−１０８１８９号公報
【発明の開示】
【発明が解決しようとする課題】
【００１１】
しかし、上記従来例には、次の問題がある。
（１）  緊急通報システムにおける問題点  
この従来の緊急通報システムでは、実際の利用シーンにおいて、話し相手が欲しかったり、寂しくてつい、緊急ボタンを押すという「誤報」や、逆に、遠慮して．少々調子が悪くても、緊急ボタンを使用しない「不使用」等の問題が多発するので、従来の緊急通報システムでは、想定通りに機能していないという問題がある。
【００１２】
また、上記誤報の影響もあり、通報に対応する機関への過負荷があるという問題がある。また、独居高齢者のＱｏＬ向上を目的とする場合、元気な高齢者にとって重要な観点である平常時のケアを、その緊急通報の対象としていないという根本的な問題がある。
【００１３】
（２）  バイタル情報のモニタリングによる異常の自動検出システムにおける問題点  
従来のバイタル情報のモニタリングによる異常の自動検出システムは、身体的な緊急時のみを対象としているので、自立した元気な高齢者にとって、装置を常時、装着する必要がある等の制約や負荷が大きい割に、システムの有用性を自覚できる機会が少ないという問題がある。
【００１４】
また、異常を検出できるのは、緊急時（身体的な異常時）のみであり、平常時のケアを対象としていないので、緊急通報システムと同様の根本的問題がある。また、収集した情報を、緊急対応以外の目的で利用することも期待される。
【００１５】
（３）  生活モニタリングシステムにおける問題点  
従来の生活モニタリングシステムでは、見守る側のメリットを重視し、一方向のモデルを想定しているので、高齢者が持つ「相手への迷惑を考えて気後れする、申し訳なく思う感情」（負債感）や、「自分の生活に踏み込まれたくないという感情」（自立心）が考慮されず、高齢者自身が心的充足感を得るには不十分であるという問題がある。また、提供された情報を利用者が見ることによって予測可能である状態は、身体的な異常状態のみであり、心情面の微細な変化を、データから読み取ることは困難であるという問題がある。
【００１６】
・  活動情報の相互伝達をベースとするシステムにおける問題点  
従来の活動情報の相互伝達をベースとするシステムでは、活動情報のやり取りをサポートするだけでは、独居高齢者の平常時のコミュニケーション手段としては不十分であり、高齢者のコミュニケーション欲求を満たすことができるとは考えにくいという問題がある。また、現状のままでコミュニケーション手段の種類を増やそうとすると、活動情報通信端末、電話等のように、メディア毎に、別々の装置が用意され、煩雑で使い難くいという問題がある。
【００１７】
（５）  在宅健康管理システムにおける問題点  
従来の在宅健康管理システムのうちで、現在提供されているシステムでは、自身のバイタル情報を意識し、定期的に手動で入力（計測）するか、装置を常に装着している必要がある。しかし、このようなシステムの利用者は、基本的には重要な疾患のない健康な人が殆どであり、健康の維持・促進に気をつけてはいるものの、手動入力への手間や装着による負荷が大きいと面倒になり、次第に利用されなくなるという問題がある。
【００１８】
また、従来システムにおいて収集できる情報は、バイタル情報のみであり、実際の生活実態を把握することができないので、医療機関等による適切なカウンセリングや生活指導の本人へのフィードバックが難しいという問題もある。
【００１９】
本発明は、コミュニケーション手段の使い分けを、状況に応じて可能にすることによって、遠隔地にいる人同士の円滑なコミュニケーションを促すことができ、人間関係の維持・構築と利用者のＱｏＬ向上とに貢献することができる固定型通信端末、携帯型通信端末、情報集約・蓄積サーバおよび見守り専用端末を提供することを目的とするものである。
【課題を解決するための手段】
【００２０】
本発明は、インターネット網接続制御手段と、固定型通信端末の周囲の環境と上記固定型通信端末の近辺の人間の活動状況とバイタル情報とをセンシングするセンサ情報取得手段と、合図取得手段と、緊急合図取得手段と、入出力制御手段と、インターネット網または電話網で接続される相手側の状態を表示する表示手段と、音声通話のための音声入力手段と、音声出力手段と、音声入出力制御手段と、映像通信のための映像入力手段と、映像出力手段と、映像入出力制御手段と、センサ情報通信と音声通話と映像通信とを切り替える入出力切り替え手段と、入出力切り替え制御手段とを有する固定型通信端末である。
【００２１】
また、本発明は、電話網接続手段またはインターネット網接続手段と、生活活動情報送受信制御手段と緊急通報生成手段と生活活動情報加工手段とバイタル情報加工手段とを実現するメインプログラムと、サービス管理データベースと、端末・経路管理データベースと、緊急通報先管理データベースと、生活活動情報管理データベースと、バイタル情報管理データベースと、個人情報管理データベースと、複数の固定型通信端末または携帯型通信端末間で、リアルタイムな生活活動情報の送受信を可能にする機能と、固定型通信端末または携帯型通信端末から送られた生活活動情報とバイタル情報とを蓄積、加工し、リアルタイムまたは集約してネットワーク上の他の機器に送信する機能と、緊急通報を生成して適切な緊急通報先に自動通報する機能とのうちの少なくとも１つの機能とを有する情報集約・蓄積サーバである。
【発明の効果】
【００２２】
本発明によれば、コミュニケーション手段の使い分けを、状況に応じて可能にすることによって、遠隔地にいる人同士の円滑なコミュニケーションを促すことができ、人間関係の維持・構築と利用者のＱｏＬ向上とに貢献することができるという効果を奏する。
【００２３】
また、本発明において得られた情報を用いれば、ヘルスケアサービス、福祉サービスを実現することができるという効果を奏する。
【発明を実施するための最良の形態】
【００２４】
本発明は、負担感や負債感のない見守りサービスを実現する通信端末とサーバに関する。また、本発明は、人が無意識に発する情報や周辺環境の情報をセンシングし、自動的に送受信する「バックグラウンドコミュニケーション」と、音声・映像の送受信による「明示的コミュニケーション」とを、状況に応じて自動的に選択する発明である。
【実施例１】
【００２５】
［１］システム構成
図１は、本発明の実施例１である通信システムＣＳ１の構成を示す図である。
【００２６】
通信システムＣＳ１は、利用者間のコミュニケーション機能と、高齢者である利用者Ｕ１の生活状態を見守る機能と、各利用者の健康促進に寄与する機能とを有する。
【００２７】
以下、高齢者を見守る家族等を利用者Ｕ２と想定して説明するが、利用者は、友人同士や、恋人同士、若年層の人等、コミュニケーション欲求を持つ者、健康促進意識を持つ者であれば、誰が利用者であってもよい。また、通信システムＣＳ１の利用者は、３者以上であってもよい。
【００２８】
通信システムＣＳ１は、利用者Ｕ１、Ｕ２のそれぞれの家に設けられている固定型通信端末１００と、電話Ｔと、利用者Ｕ１、Ｕ２のそれぞれが携帯する携帯型通信端末２００と、インターネット通信網ＮＷ１と、電話網ＮＷ２と、新規サービス提供者等の情報サービス提供者３００Ｓが有する情報集約・蓄積サーバ３００と、介護センタ、福祉協議会等の福祉専門機関ＯＧ１と消防署、病院等の緊急時対応機関ＯＧ２と医療機関ＯＧ３とに設けられている見守り専用端末４００と、ＰＣ、電話とを有する。
【００２９】
利用者Ｕ１は、独居または高齢者のみの世帯の高齢者等であり、利用者Ｕ２は、高齢者の家族、友人、地域住民、ボランティア、巡回介護職員、サービス提供会社職員、福祉専門機関職員等である。
【００３０】
情報サービス提供者３００Ｓに設けられている情報集約・蓄積サーバ３００は、コミュニケーション・活動情報とバイタル情報等、種類毎に分類して、健康関連サービス提供者等、他の機関や利用者が有し、緊急時対応機関ＯＧ２、福祉専門機関ＯＧ１、利用者Ｕ１、Ｕ２の家に設けるようにしてもよく、携帯電話の常駐ソフトとして実現するようにしてもよい。
【００３１】
また、利用者Ｕ２が、サービス提供会社職員や福祉専門機関職員である場合には、利用者Ｕ２の家に設ける筈の固定型通信端末１００の機能を、見守り専用端末４００に付加し、一体型で実現するようにしてもよい。ただし、情報集約・蓄積サーバ３００に蓄積されているバイタル情報とセンサ情報とは、個人情報であるので、通信、管理の各段階で、暗号化やロックをかけ、万全のセキュリティ対策を行う必要がある。
【００３２】
利用者間のコミュニケーションを主用途とする場合には、利用者Ｕ１について、固定型通信端末１００、携帯型通信端末２００、電話Ｔの少なくとも１つを必ず設ける必要があり、また、利用者Ｕ２について、固定型通信端末１００、携帯型通信端末２００、電話Ｔの少なくとも１つを必ず設ける必要があり、他の機器は、用途に応じて省略可能である。高齢者の生活状態の見守りや、各利用者の健康促進サービスを提供する場合には、これに加え、情報集約・蓄積サーバ３００が必須である。
【００３３】
高齢者と見守る人との間で、固定型通信端末１００、携帯型通信端末２００の少なくとも１つを用いて、センサ情報（生活活動情報）や、軽い合図、音声・映像を、常時または一定時間送受信し合う。これによって、高齢者側にも、見守る人の側にも、負担感が少ない状態で、高齢者の日常的な心的充足感を向上させることができる。また、互いの身近さや、つながり感が醸成され、関係の維持・構築につながる。
【００３４】
また、固定型通信端末１００や携帯型通信端末２００に付属して、または専用端末を用いて、自動または手動で、定期的または不定期に、体温、血圧、発汗、歩数、脈拍、脈派、血流、心電、筋電、体重等、利用者のバイタル情報を取得し、情報集約・蓄積サーバ３００に送信する。
【００３５】
コミュニケーション・活動の情報集約・蓄積サーバ３００は、高齢者と見守る人との間でやり取りされた情報（コミュニケーション情報および活動情報）と、各利用者から送信されたバイタル情報とを蓄積し、見守る人の固定型通信端末１００、携帯型通信端末２００、福祉専門機関ＯＧ１の見守り専用端末４００、またはＰＣを介して、リアルタイムで、または集約して、生活活動とバイタル情報とを表示する。
【００３６】
これによって、利用者Ｕ１、Ｕ２は、健康関連サービス提供者や福祉専門機関ＯＧ１等から、健康促進に関するアドバイスや指導を受け、自身にフィードバックされる情報に基づいて、自己啓発することができる。
【００３７】
また、高齢者の生活状況の把握、ちょっとした身体的・心理的異常の検出、予測を行うことができる。また、見守る人や福祉専門機関ＯＧ１の高齢者に対するケアや生活指導、カウンセリング等を、より個人の生活スタイルに適応させることができる。
【００３８】
さらに、情報集約・蓄積サーバ３００が蓄積・加工した情報を、緊急時対応機関ＯＧ２や福祉専門機関ＯＧ１の見守り専用端末４００またはＰＣを介して、表示することによって、高齢者に対する緊急時の対応を迅速かつ適切に行うことができる。
【実施例２】
【００３９】
［２］固定型通信端末１００、携帯型通信端末２００の実施例
（ア）固定型通信端末１００
図２は、本発明の実施例２である固定型通信端末１００の構成例を示す図である。
【００４０】
固定型通信端末１００は、センシング機能、ＴＶ電話機能、電話機能、メール機能、表示機能を有し、それらを利用者が切り替えて用いるか、または、状況に応じて自動的に遷移する通信端末である。
【００４１】
固定型通信端末１００は、情報集約・蓄積サーバ３００を経由し、高齢者と見守る人との間で、生活活動情報を常時双方向で伝達し合う機能を持つ。
【００４２】
固定型通信端末１００は、インターネット網接続制御手段１０と、センサ情報入出力制御手段２０と、合図取得手段２１と、緊急合図取得手段２２と、センサ情報取得手段２３と、表示手段３０と、出力パタン管理データベース４０と、音声入出力制御手段５０と、音声入力手段５１と、音声出力手段５２と、映像入出力制御手段６０と、映像入力手段６１と、映像出力手段６２と、入出力切り替え制御手段７０と、入出力切り替え手段７１とを有する。
【００４３】
センサ情報入出力制御手段２０は、合図取得手段２１、緊急合図取得手段２２、センサ手段情報取得手段２３、表示手段３０を制御する上位のプログラムである。また、センサ情報入出力制御手段２０は、合図取得手段２１、緊急合図取得手段２２、センサ手段情報取得手段２３を呼び出す順序を決めたり、また、入出力切り替え制御手段と連携して、合図取得手段２１、緊急合図取得手段２２、センサ手段情報取得手段２３、表示手段３０をＳｔａｒｔ／Ｓｔｏｐさせたりする。
【００４４】
合図取得手段２１は、センサ、ボタン、デバイスドライバ、その上の駆動ソフトを含む手段である。
【００４５】
緊急合図取得手段２２は、緊急ボタン、デバイスドライバ、その上の駆動ソフトを含む手段である。
【００４６】
図３は、固定型通信端末１００における入出力デバイスの構成例を示す図である。
【００４７】
図３に示す入出力デバイスは、センサ情報取得手段（狭指向性の焦電型赤外線センサＳＥ１、広指向性の焦電型赤外線センサＳＥ２、ＣＯ２、調理臭、タバコ等に反応する各種ガスセンサＳＥ３、光量センサＳＥ４、温湿度センサＳＥ５、音圧センサＳＥ６、バイタルセンサＳＥ７）、入出力切り替えボタン３１、音声入力手段（マイクＭ）、音声出力手段（スピーカＳＰ）、映像入力手段（カメラＣＡ）、映像出力手段（表示部３３）である。
【００４８】
表示手段３０は、入力切り替えボタン３１と、手書きパネル３２と、表示部３３とを有する。入力切り替えボタン３１は、ＴＶ電話、電話、メール、背景情報を選択するボタンである。表示部３３は、ＴＶ電話、メール等の使用時に表示するものである。
【００４９】
センサ情報入出力制御手段２０には、背景情報を取得する背景情報取得デバイスとして、複数の狭指向性の焦電型赤外線センサＳＥ１と、広指向性の焦電型赤外線センサＳＥ２と、ＣＯ２、調理臭、タバコ等に反応する各種ガスセンサＳＥ３と、光量センサＳＥ４と、温湿度センサＳＥ５と、音圧センサＳＥ６と、ケーブルで接続されたバイタルセンサＳＥ７とが接続されている。
【００５０】
固定型通信端末１００を基地局として無線で接続されるデバイスとして、バイタルセンサＳＥ７を実現するようにしてもよい。各入力デバイスは、定期的またはイベントドリブンでセンシングし、このセンシングした情報を、インターネット通信網ＮＷ１や電話網ＮＷ２を経由し、情報集約・蓄積サーバ３００に送信する。
【００５１】
１ヶ所または複数ヶ所の接続先の情報は、情報集約・蓄積サーバ３００が有しているため、ユーザは切り替えボタン３１と接続先選択ボタンのみで、簡単にＴＶ電話や電話Ｔ、メール送受信を行うことができる。または、センシングした背景情報に応じて、使用する入出力デバイスを自動的に切り替えるようにしてもよい。たとえば、焦電型赤外線センサが、長時間のＯＦＦ状態からＯＮ状態になったときに、帰宅時であると想定でき、この場合に、ＴＶ電話が自動的に起動し、表示部３３の操作状況や、メールの開封確認機能によって、相手からのメールを読んでいることを認識し、ＴＶ電話を自動的に起動する等の機能を実現することができる。
【実施例３】
【００５２】
（イ）固定型通信端末１００ａ
図４は、本発明の実施例３である固定型通信端末１００ａの構成を示すブロック図である。
【００５３】
固定型通信端末１００ａは、ＵＳＢ経由で接続される固定型通信端末であり、センシング機能を有し、ＴＶ電話機、電話機またはＦＡＸに接続され、連動する通信端末であるが、固定型通信端末１００とは異なり、インターネット通信網ＮＷ１に直接接続する手段を持たず、また音声・映像通信を行う手段を持たない。
【００５４】
すなわち、固定型通信端末１００ａは、センサ情報入出力制御手段２０と、合図取得手段２１と、緊急合図取得手段２２と、センサ情報取得手段２３と、出力パタン管理データベース４０と、入出力切り替え制御手段７０と、入出力切り替え手段７１と、ＵＳＢ接続制御手段８０とを有する。
【００５５】
つまり、固定型通信端末１００ａは、ＵＳＢやＩＥＥＥ１３９４等のインタフェースを持ち、該当端子を持つ電話機やＦＡＸ端末に接続して使用し、音声・映像通信部は、電話機やＦＡＸの機能を利用し、電話機やＦＡＸ上のアプリケーションまたは固定型通信端末１００からコントロールすることで実現する。
【００５６】
固定型通信端末１００ａは、図２に示すインターネット通信網接続制御手段１０の代わりに、ＵＳＢ接続制御手段８０を有し、映像・音声入出力部の機能は持たない。この構成の場合、背景情報、合図等のセンシングは、固定型通信端末１００ａが行い、電話Ｔが有する液晶モニタを用いて、表示と文字入力とを実行する。このように、センサ情報入出力部についても、固定型通信端末１００ａと電話Ｔとの間で機能を分散するようにしてもよい。
【００５７】
また、固定型通信端末１００ａは、電話Ｔ上のアプリケーションとして実現し、ＵＳＢを経由し、固定型通信端末１００ａをコントロールするようにしてもよい。また、情報集約・蓄積サーバ３００を、電話Ｔ上のアプリケーションとして実現するようにしてもよい。
【００５８】
図５は、固定型通信端末１００ａにおける入出力デバイスの構成例を示す図である。
【００５９】
固定型通信端末１００ａに設けられているセンサ情報入出力制御手段２０ａは、固定型通信端末１００に設けられているセンサ情報入出力制御手段２０と、基本的には同じであるが、ＵＳＢを介して、電話Ｔに接続される点が、異なる。電話Ｔは、表示部ＴＤと、文字入力インタフェースＴＩとを有する。
【００６０】
つまり、固定型通信端末１００ａは、固定型通信端末１００ａ上のセンサ群を用いてセンシングし、相手の状態の表示、電話Ｔ、ＴＶ電話、メールを行う機能は、電話Ｔの機能を用い、文字入力を行うインタフェースには、電話Ｔのプッシュボタンを用いる。これによって、固定型通信端末の機能を安価に実現することができる。
【実施例４】
【００６１】
（ウ）携帯型通信端末２００
本発明の実施例４は、携帯型通信端末２００である。
【００６２】
携帯型通信端末２００は、センシング機能を付加した携帯型通信端末２００であり、情報集約・蓄積サーバ３００を経由して、高齢者と見守る人との間で生活活動情報を常時双方向で伝達し合う機能を有する。
【００６３】
固定型通信端末１００の場合、専用端末として実現するが、図２に示す固定型通信端末１００を、携帯型通信端末２００上に実装するようにしてもよい。この場合、映像・音声通信部は、図４に示す固定型通信端末１００ａの構成と同様に、携帯型通信端末２００の機能を利用するが、背景情報やバイタル情報を収集するために、センシングデバイスを携帯型通信端末２００に付加する必要がある。
【００６４】
また、携帯型通信端末２００のプッシュボタンを押した頻度、開閉頻度、電波強度、メールや通話の時間等、携帯型通信端末２００が保有する利用履歴も、背景情報として情報集約・蓄積サーバ３００に送信する。また、必要に応じて、見守る人側の固定型通信端末１００または携帯型通信端末２００には、見守り専用端末４００の機能を付加するようにしてもよい。
【実施例５】
【００６５】
［３］情報集約・蓄積サーバ３００の実施例
情報集約・蓄積サーバ３００は、高齢者と、見守る人の固定型通信端末１００または携帯型通信端末２００との間のリアルタイムな生活活動情報の送受信を可能にし、また、固定型通信端末１００または携帯型通信端末２００で得た生活活動情報、バイタル情報を蓄積、加工し、リアルタイムに、または集約してネットワーク上の他の機器に送信する機能、緊急通報を生成する機能を持つ。
【００６６】
図６は、情報集約・蓄積サーバ３００の構成例を示す図である。
【００６７】
情報集約・蓄積サーバ３００は、メインプログラム３１０と、電話網接続制御手段３２０と、インターネット通信網接続制御手段３３０と、サービス管理データベース３４１と、端末・経路管理データベース３４２と、緊急通報先管理データベース３４３と、生活活動情報管理データベース３４４と、バイタル情報管理データベース３４５と、個人情報管理データベース３４６とを有する。
【００６８】
メインプログラム３１０は、生活活動情報送受信制御手段３１１と、緊急通報生成手段３１２と、生活活動情報加工手段３１３と、バイタル情報加工手段３１４とを有する
次に、固定型通信端末１００を利用した場合における情報集約・蓄積サーバ３００の例について述べる。
【００６９】
情報集約・蓄積サーバ３００は、ネットワークを介して、固定型通信端末１００から取得した情報を、接続相手の固定型通信端末１００または携帯型通信端末２００に転送する機能と、取得した情報を蓄積・加工する機能と、緊急通報を生成して適切な緊急通報先に自動通報する機能との３つの機能を有する。
【００７０】
［加工処理］
次に、情報集約・蓄積サーバ３００におけるデータ加工処理について述べる。
【００７１】
情報集約・蓄積サーバ３００におけるデータ加工処理を実行する手段は、生活活動情報加工手段３１３と、バイタル情報加工手段３１４の２種類である。
【００７２】
固定型通信端末１００や携帯型通信端末２００から送られてくるセンサデータから、リアルタイム情報、短期的情報、長期的情報を生成し、見守り専用端末４００で表示する表示画面を生成する。
【００７３】
生活活動情報加工手段３１３における基本的な動作と、バイタル情報加工手段３１４における基本的な動作とは、互いに同じである。
【００７４】
以下では、生活活動に関するセンサデータから、生活活動に関するリアルタイム情報、短期的情報、長期的情報を生成する動作と、その情報の表示例とについて説明する。
【００７５】
情報集約・蓄積サーバ３００は、固定型通信端末１００から受信した焦電型赤外線センサのＯＮ／ＯＦＦ状態と、光量センサ値とスレッショルド値との比較とによって、在室情報を生成する。
【００７６】
図７は、生活活動情報加工手段３１３の動作を示すフローチャートである。
【００７７】
図８は、見守り専用端末４００の表示画面が表示する第１の表示例を示す図である。
【００７８】
固定型通信端末１００を利用する場合、ネットワークを介して、固定型通信端末１００から、複数の焦電型赤外線センサの情報（人に関する直接的な情報）と、複数のガスセンサＳＥ３の情報と、光量センサＳＥ４の情報と、温湿度センサＳＥ５の情報（周辺環境の情報）とを取得する。
【００７９】
図７に示すように、これらのローデータに基づいて、リアルタイム情報、短期的情報、長期的情報を生成する。
【００８０】
（リアルタイム情報）
リアルタイム情報は、今現在の対象者とその生活空間との状態を提示する表示画面を生成するために算出する情報である。上記表示画面は、図８（１）に示すリアルタイム情報表示画面である。なお、図８（１）に示すリアルタイム情報表示画面において、斜線部が設けられ、この斜線部の色の変化によって快適度を示す。
【００８１】
１）能動的行動情報
１−１）在室情報：
焦電型赤外線センサＳＥ１、ＳＥ２のＯＮ状態から、在室の有無を判断する。焦電型赤外線センサＳＥ１、ＳＥ２の少なくとも一方がＯＮの状態にある場合に、「在室」であると判断し、焦電型赤外線センサＳＥ１、ＳＥ１がともにＯＦＦの状態にある場合に、「不在」であると判断する。
【００８２】
光量センサＳＥ４の値が、室内照明が点灯しているときと同等であるか、温湿度センサＳＥ５の値が人間が生活する上で適温になっているか、音圧値が高い値になっているか、ＣＯ２センサの値が高い値になっているか、調理臭センサの値が高い値になっているか等、他のセンサ情報を補助的に用いて、「在室」、「不在室」を判断する。
【００８３】
１−２）室内活動度情報：
複数の焦電型赤外線センサＳＥ１、ＳＥ２のＯＮ状態の発生頻度と、時系列変化と、ＣＯ２センサの値とを分析することによって、室内活動度を算出する。
【００８４】
長期運用によって個人適応していくが、基本的には、複数の焦電型赤外線センサのＯＮ状態の発生頻度が高い場合、離れた場所の移動熱源を検出する複数の焦電型赤外線センサが、交互にＯＮ状態になることが多い場合、ＣＯ２センサの値が上昇した場合に、高い活動度が算出される。
【００８５】
１−３）来客情報：
複数の焦電型赤外線センサＳＥ１、ＳＥ２が同時にＯＮ状態になる頻度と、その時系列変化と、ＣＯ２センサの値とを分析することによって、来客の有無を算出する。長期運用によって個人適応していくが、基本的には、離れた場所の移動熱源を検出する複数の焦電型赤外線センサが同時にＯＮ状態になることが多い場合、ＣＯ２センサの値が上昇した場合に、「来客」であると判断される。また、光量センサＳＥ４、音圧の値を、補助的に用いる。
【００８６】
図９は、実施例１における在室情報、室内活動度情報、来客情報の算出方法の例を示す図である。
【００８７】
つまり、図９は、検出範囲が広い１つの焦電型赤外線センサＳＥ２と、検出範囲が狭い２つの焦電型赤外線センサＳＥ１とを用いて、生活活動情報を加工した例を示す図である。
【００８８】
室内活動度については、小さい動き（座って本を読む、テレビを見る等の狭い範囲内での活動度）と、大きな動き（掃除等の広い範囲内での活動度）とを区別して算出することによって、精度の高い室内活動度情報を算出することができる。来客情報については、図９に示す方法に加え、玄関付近に焦電型赤外線センサを設置し、通過型の赤外線センサを用いることによって、精度を高めることができる。図９に示す「情報」の欄に記載されている位置と方向とについては、活動のより詳細な解析を行う際に用いる。
【００８９】
２）生理的行動情報
２−１）起床就寝情報：
焦電型赤外線センサがＯＮ状態であれば、光量センサＳＥ４の値に基づいて、起床、就寝を判断する。長期運用によって個人適応していくが、基本的には、一般的な起床時間帯に、いずれかの焦電型赤外線センサがＯＮ状態になり、光量センサＳＥ４の値が、室内照明が点灯しているときと同等になれば、「起床」であると判断する。逆に、一般的な就寝時間帯に、全ての焦電型赤外線センサがＯＦＦ状態になり、光量センサＳＥ４の値が低下した場合、「就寝」であると判断する。また、温湿度センサＳＥ５、音圧センサＳＥ５の各値を補助的に用いる。
【００９０】
２−２）食事情報：
複数の焦電型赤外線センサＳＥ１、ＳＥ２のＯＮ状態と、ＣＯ２センサ、調理臭センサ、水蒸気センサ等のガスセンサＳＥ３の出力信号とに基づいて、食事中の有無を判断する。長期運用によって個人適応していくが、基本的には、特定の焦電型赤外線センサがＯＮ状態になり、ＣＯ２センサ、調理臭センサ、水蒸気センサ等のガスセンサＳＥ３の値が上昇した場合に、「食事中」であると判断される。
【００９１】
３）生活環境情報
３−１）快適度情報：
光量センサＳＥ４の値、温湿度センサＳＥ５の値、音圧センサＳＥ６の値、各種ガスセンサＳＥ３の値に基づいて、快適度を算出する。各センサ値が、人間が生活する上で快適であるとされる値に、どの程度近いかが、快適度の値である。
【００９２】
（短期的情報）
短期的情報は、今日１日間や最近数日間の様子を提示する表示画面を生成するために算出する情報である。上記表示画面は、図８（２）に示す短期的情報表示画面である。また、上記短期情報は、対応するリアルタイム情報に基づいて算出する。
【００９３】
（長期的情報）
長期的情報は、月や年単位等、長期的な様子を提示する表示画面を生成するために算出する情報である。上記表示画面は、図８（３）に示す長期的情報表示画面である。なお、対応する短期的情報に基づいて、長期情報を算出する。
【００９４】
また、上記センサ情報に基づいて、リアルタイム、短期、長期のコミュニケーション情報、活動情報を生成する場合と同様に、バイタル情報から、リアルタイム、短期、長期の体調情報を生成し、コミュニケーション・活動情報とともに送信する。
【００９５】
［緊急通報生成処理］
次に、情報集約・蓄積サーバ３００における緊急通報生成手段３１２について説明する。
【００９６】
図１０は、緊急連絡先管理データベース３４３に格納されている情報の例を示す図である。
【００９７】
図１０に示すグラフは、各情報の変化パターンの特徴を示している。図１０に示すグラフの縦軸は、図１０における「種別」に記載されている各情報の値である。
【００９８】
体調情報は、バイタル情報から直接生成する。生理的行動情報、能動的行動情報（コミュニケーション行動情報、活動情報）、生活環境情報は、生活活動情報加工手段３１３と、バイタル情報加工手段３１４とが出力したデータを組み合わせて生成する。
【００９９】
情報種別毎に、各人の統計値や標準的な正常値に基づいて、スレッショルドを設定し、各人の各情報の値の変化（大きさと速度）、緊急度を算出し、要即時対応、要早期連絡、要カウンセリング・生活指導を判断する。上記情報種別と緊急度とに応じて、予め設定した各状況に適切な緊急通報先に、電話網ＮＷ２またはインターネット通信網ＮＷ１を経由し、自動通報する。
【０１００】
なお、サーバ３００が、緊急通報を生成せずに、情報種別毎に、互いに異なる機関ＯＧ１、ＯＧ２、ＯＧ３に、緊急通報の元になる情報だけを提供し、提供された各機関ＯＧ１、ＯＧ２、ＯＧ３が、緊急アラームを独自に設定するようにしてもよい。
【実施例６】
【０１０１】
［４］見守り専用端末４００の実施例
図１１は、本発明の実施例６である見守り専用端末４００の構成を示す図である。
【０１０２】
見守り専用端末４００は、高齢者との間でリアルタイムなコミュニケーションを行う機能と、高齢者の緊急時に利用する緊急状態情報と、高齢者の生活指導やカウンセリングに利用する生活スタイル情報と、高齢者への声かけや訪問、異常の早期発見に利用する高齢者の最近の状態情報と、現在の状態情報（リアルタイム状態情報）と、バイタル情報とを表示する機能を持つ。
【０１０３】
つまり、見守り専用端末４００は、インターネット通信網接続制御手段４１０と、電話網接続制御手段４２０と、出力制御手段４３０と、アラーム管理データベース４４０と、緊急状態情報表示手段４４１と、表示パタン管理データベース４５０と、生活活動情報表示手段４５１と、バイタル情報表示手段４５２とを有する。
【０１０４】
生活活動情報表示手段４５１とバイタル情報表示手段４５２とは、階層構造を具備するようにしてもよく、また、用途に応じて、緊急状態情報表示手段４４１、生活活動情報表示手段４５１、バイタル情報表示手段４５２の少なくとも１つを実装する。
【０１０５】
見守り専用端末４００は、専用端末であるが、図１１に示す各手段を、情報集約・蓄積サーバ３００上に実装し、福祉専門機関ＯＧ１、緊急時対応機関ＯＧ２が、Ｗｅｂブラウザを介して、その情報を閲覧するようにしてもよい。
【０１０６】
また、見守り専用端末４００の機能を、見守る人側の固定型通信端末１００または携帯型通信端末２００に付加し、生活活動情報をやり取りする機能と、生活活動情報やバイタル情報のリアルタイム提示または集約提示とを行う機能との両方を、見守る人側の固定型通信端末１００または携帯型通信端末２００が有するようにしてもよい。
【０１０７】
（ア）見守り専用端末４００における第１の表示例
次に、緊急アラーム機能を持たないコミュニケーション行動・生活活動情報見守り専用端末４００（少人数の高齢者を見守る場合を想定）における第１の表示例について説明する。
【０１０８】
つまり、固定型通信端末１００と情報集約・蓄積サーバ３００とを用いた場合における見守り専用端末４００であって、緊急アラーム機能を有しない見守り専用端末４００における第１の表示例について説明する。
【０１０９】
なお、上記のように、表示画面の生成までを、サーバ３００が呼び出し、見守り専用端末４００では、Ｗｅｂブラウザからその画面を呼び出すようにしてもよい。
【０１１０】
（リアルタイム情報表示画面）
図８（１）は、見守り専用端末４００におけるリアルタイム情報表示画面を示す図であり、今現在の対象者とその生活空間との状態を提示する表示画面である。
【０１１１】
図８（１）に示すリアルタイム情報表示画面は、在室／不在を示すランプと、来客の有無を示すランプと、起きているか否かを示すランプと、食事中か否かを示すランプと、生活空間の快適度を示すインジケータと、活動度を示すインジケータとによって構成されている。なお、図８（１）において、斜線部の色が変化することによって、快適度を表現する。
【０１１２】
図８（１）に示すリアルタイム情報表示画面を、利用者が参照することによって、今連絡してよいのかどうかを判断することができる。また、常に何となく相手の状態を把握できることによって、相手への身近さや親近感が醸成される。
【０１１３】
（短期的情報表示画面）
図８（２）は、見守り専用端末４００における短期的情報表示画面を示す図である。
【０１１４】
図８（２）に示す短期的情報表示画面は、今日１日や最近数日の間における対象者とその生活空間との状態を提示する表示画面であり、対外接触度、室内活動度、食事回数、睡眠時間を示すインジケータによって構成されている。各インジケータには、同年代の平均や、本人のデータの平均・分散、今日１日や最近数日間における値を提示する。
【０１１５】
利用者が、図８（２）に示す短期的情報表示画面を参照することによって、「少し様子がおかしい」、「体調が悪そうだ」、「ひきこもり気味だ」等、身体的な異変を早期に発見することができ、連絡すべき状況にあるのかどうかを容易に判断することができる。さらに、「寂しがっていそうか」、「不安がっていそうか」、「ストレスが溜まっていそうか」等、心理的な変化をも把握することができ、連絡をして欲しがっているのかどうかを判断することができる。これによって、対象者にとって適切な、嬉しいと思うタイミングで、電話や対面等の明示的なコミュニケーションを行うことができる。
【０１１６】
（長期的情報表示画面）
図８（３）は、見守り専用端末４００における長期的情報表示画面を示す図であり、月や年単位で、対象者とその生活空間との状態を提示する表示画面である。
【０１１７】
図８（３）に示す長期的情報表示画面は、対外接触度、室内活動度、食事回数、睡眠時間、快適適度度を示すインジケータと、個人情報（客観的事実、嗜好、性格等）を示すプロフィール欄とによって構成されている。
【０１１８】
各インジケータには、同年代の平均や、本人のデータの平均値・分散が表示され、月、年単位のグラフとして参照することができる。また、プロフィール欄には、利用者が直接特記事項を記入することができ、日付と共に管理される。利用者は、これらを参照することによって、各人の生活習慣や傾向を把握することができ、個人の事情や生活習慣に適した対応やカウンセリング、生活指導等を行うことができる。
【０１１９】
図８（１）、（２）、（３）に示す表示画面は、用途に応じて、いずれか１つのみを利用するようにしてもよく、階層的にリンクさせ、切り替えて表示できるようにしてもよい。また、体調情報とともに提示するようにしてもよい。
【０１２０】
（イ）見守り専用端末４００における第２の表示例
次に、コミュニケーション行動・生活活動情報・バイタル情報見守り専用端末４００であって、緊急アラーム機能を有する見守り専用端末（多人数の高齢者を見守る場合を想定）について説明する。
【０１２１】
図１２は、見守り専用端末４００における第２の表示例におけるメイン画面例１を示す図であり、固定型通信端末１００と情報集約・蓄積サーバ３００とを用いた場合において、見守り専用端末４００における第２の表示例を示す図である。
【０１２２】
個人の詳細な情報を提供する見守り専用端末４００を用いれば、身体的な状態のみならず、心理的な状態までをも、利用者が推測することができ、個々の高齢者に適したきめ細かいケアを行うことができる。しかし、福祉専門機関ＯＧ１のように、１人の見守る人が多数の高齢者を見守らなければならない場合、利用者による判断の部分をより多く機械（システム）が担当する必要がある。図１２に示す例では、緊急状態の判断までをシステムが行い、見守り専用端末４００が警告アラームや注意アラームを出す。
【０１２３】
複数の高齢者について、バイタル情報に基づいて算出した体調インジケータと、コミュニケーション情報と活動情報とに基づいて算出した生活リズムインジケータとを表示する。対象となる高齢者が多数である場合、図１２に示すメイン画面例１では、アラームのみを提示するようにしてもよい。利用者の値が、設定したスレッショルドを超えると、アラームが点灯し、または警告音が鳴る。または、インターネット通信網ＮＷ１や電話網ＮＷ２を経由し、福祉専門機関ＯＧ１、緊急時対応機関ＯＧ２に、直接通報するようにしてもよい。また、詳細ボタンを押すと、図８（１）〜（３）に示す詳細画面に遷移し、各人の詳細情報を参照するようにしてもよい。
【０１２４】
図１３は、見守り専用端末４００における第２の表示例であるメイン画面例２を示す図であり、Ｗｅｂブラウザで参照する場合におけるメイン画面例２を示す図である。
【０１２５】
見守り専用端末４００における第２の表示例では、複数の高齢者について、活動情報やバイタル情報を、１日単位でグラフ表示する。メイン画面例２中のコミュニケーションボタンを押すと、高齢者の固定型通信端末１００、携帯型通信端末２００に合図を送ることができる。つまり、固定型通信端末１００、携帯型通信端末２００が、光ったり、音が鳴ったりする。また、アラーム発生時には、直接、電話ＴやＩＰ電話で、高齢者に電話を掛けることができるように設定してもよい。
【０１２６】
図１４は、見守り専用端末４００における第２の表示例で使用する並び順設定画面を示す図である。
【０１２７】
メイン画面例２中の並び替えボタンを押すことによって、図１４に示す並び順設定画面に遷移し、表示される高齢者の並び順を変更することができる。
【０１２８】
図１５は、見守り専用端末４００における第２の表示例で使用する詳細表示画面を示す図である。
【０１２９】
メイン画面例２中の個人ボタンを押すことによって、図１５に示す詳細画面に遷移し、週単位や月単位のグラフを表示し、メモを書き込むことができる。
【０１３０】
図１６は、見守り専用端末４００における第２の表示例で使用するアラーム設定画面を示す図である。
【０１３１】
また、上記詳細画面中のアラーム設定ボタンを押すことによって、図１６に示すアラーム設定画面に遷移し、個人毎に異なるアラーム発生条件を設定することができる。
【実施例７】
【０１３２】
［５］健康促進情報提供手段の実施例
本発明の実施例７は、健康促進情報提供手段である。
【０１３３】
バイタル情報、生理的行動情報、能動的行動情報、生活環境情報を、見守り専用端末４００だけでなく、Ｗｅｂブラウザや電話Ｔの液晶画面へ表示し、ＦＡＸ送信等によって、本人に集約提示することができる。
【０１３４】
また、身体的な状態を表すバイタル情報に加え、基本的な生活実態を表す生理的行動情報、コミュニケーション状態や活発度を表す能動的行動情報、さらには、生活している空間の状態を表す生活環境情報を、同時に医療機関ＯＧ３等に提供することもでき、従来のバイタル情報のみを扱う在宅健康管理システムよりも、質の高いカウンセリングや生活指導を行うことができる。
【０１３５】
また、従来の在宅健康管理システムでは、利用者が意識的に入力を行うか、計測装置を常時装着している必要があるので、負荷が非常に大きいが、本システムを用いれば、コミュニケーションや高齢者の見守りを主目的として、固定型通信端末１００や携帯型通信端末２００を利用することによって、自動的に生理的行動情報、能動的行動情報（コミュニケーション行動情報、活動情報）、生活環境情報および一部のバイタル情報が、センシングされる。これらのデータを二次利用することによって、上記集約提示やカウンセリング・生活指導結果を提示することが可能になる。
【０１３６】
また、このように自動的に取得される情報を、本人へフィードバックし続けることによって、意識的な手動入力を要するバイタルセンサＳＥ７に対する使用意識の促進を期待することができる。
【０１３７】
つまり、固定型通信端末１００は、インターネット網接続制御手段と、固定型通信端末の周囲の環境と、上記固定型通信端末の近辺の人間の活動状況と、バイタル情報とをセンシングするセンサ情報取得手段と、合図取得手段と、緊急合図取得手段と、入出力制御手段と、インターネット網または電話網で接続される相手側の状態を表示する表示手段と、音声通話のための音声入力手段と、音声出力手段と、音声入出力制御手段と、映像通信のための映像入力手段と、映像出力手段と、映像入出力制御手段と、センサ情報通信と音声通話と映像通信とを切り替える入出力切り替え手段と、入出力切り替え制御手段とを有することを特徴とする固定型通信端末の例である。
【０１３８】
また、固定型通信端末１００ａは、ＵＳＢ、ＩＥＥＥ１３９４、Ｂｌｕｅｔｏｏｔｈ、屋内無線ＬＡＮ、電灯線ＬＡＮのうちの少なくとも１つのインタフェースを具備する電話機またはＦＡＸ端末に接続される固定型通信端末において、ＵＳＢ、ＩＥＥＥ１３９４、Ｂｌｕｅｔｏｏｔｈ、屋内無線ＬＡＮ、電灯線ＬＡＮのうちの少なくとも１つの接続制御手段と、固定型通信端末の周囲の環境と、上記固定型通信端末の近辺の人間の活動状況と、バイタル情報とをセンシングするセンサ情報取得手段と、合図取得手段と、緊急合図取得手段と、入出力制御手段と、センサ情報通信、音声通話、映像通信を切り替える入出力切り替え手段と、入出力切り替え制御手段と、音声通話、映像通信、インターネット網、電話網のうちの少なくとも１つによって接続される相手側の状態の表示を、電話機またはＦＡＸ端末の機能を利用し、電話機またはＦＡＸ端末上のアプリケーションまたは固定型通信端末から制御する表示制御手段とを有することを特徴とする固定型通信端末の例である。
【０１３９】
この場合、上記固定型通信端末は、狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサを有する。
【０１４０】
また、上記固定型通信端末は、狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサが取得したセンサ情報に基づいて、使用する入出力デバイス、通信手段を自動的に切り替える通信端末である。
【０１４１】
さらに、固定型通信端末は、インターネット網または電話網で接続された相手側の状態を表示し、切り替えボタン、接続先選択ボタン、手書きパネルを具備し、電話、テレビ電話、メール送受信を行うための表示部を具備する表示手段を有する。
【０１４２】
携帯型通信端末２００は、携帯型通信端末の周辺の環境、上記携帯型通信端末の近辺の人間の活動状況、バイタル情報をセンシングするセンサ情報取得手段と、上記センサ情報取得手段が取得したセンサ情報と、上記携帯型通信端末が保有するプッシュボタンの利用頻度、開閉頻度、電波強度、メールや通話の時間・回数のうちの少なくとも１つの利用履歴とを収集するセンサ情報入出力制御手段と、音声通話、映像通信、インターネット網、電話網のうちの少なくとも１つによって接続される相手側の状態を表示手段に表示制御する表示制御手段とを有することを特徴とする携帯型通信端末の例である。
【０１４３】
この場合、上記固定型通信端末は、狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサを有する。
【０１４４】
また、上記携帯型通信端末は、狭指向性の焦電型赤外線センサ、広指向性の焦電型赤外線センサ、ＣＯ２調理臭、タバコ臭に反応する各種ガスセンサ、光量センサ、温湿度センサ、音圧センサ、バイタルセンサのうちの少なくとも１つのセンサが取得したセンサ情報に基づいて、使用する入出力デバイス、通信手段を自動的に切り替える通信端末である。
【０１４５】
情報集約・蓄積サーバ３００は、電話網接続手段またはインターネット網接続手段と、生活活動情報送受信制御手段と緊急通報生成手段と生活活動情報加工手段とバイタル情報加工手段とを実現するメインプログラムと、サービス管理データベースと、端末・経路管理データベースと、緊急通報先管理データベースと、生活活動情報管理データベースと、バイタル情報管理データベースと、個人情報管理データベースと、複数の固定型通信端末または携帯型通信端末間で、リアルタイムな生活活動情報の送受信を可能にする機能と、固定型通信端末または携帯型通信端末から送られた生活活動情報とバイタル情報とを蓄積、加工し、リアルタイムまたは集約してネットワーク上の他の機器に送信する機能と、緊急通報を生成して適切な緊急通報先に自動通報する機能とのうちの少なくとも１つの機能とを有することを特徴とする情報集約・蓄積サーバの例である。
【０１４６】
この場合、上記情報集約・蓄積サーバは、上記固定型通信端末から受信した複数の焦電型赤外線センサ値、複数のガスセンサ値、光量センサ値、温度センサ値、音圧値を、利用者の現在の在室情報、室内活動度情報、来客情報、起床就寝情報、食事情報、快適度情報に加工する情報加工手段を有するサーバである。
【０１４７】
また、上記情報集約・蓄積サーバは、上記固定型通信端末から受信した焦電型赤外線センサのＯＮ／ＯＦＦ状態と、光量センサ値とスレッショルド値との比較とによって、在室情報を生成する在室情報生成手段を有するサーバである。
【０１４８】
さらに、上記情報集約・蓄積サーバは、上記固定型通信端末から受信した複数の焦電型赤外線センサのＯＮ状態の発生頻度と、ＣＯ２センサ値の上昇の検出値とによって、狭い範囲内での室内活動度情報を生成するサーバである。
【０１４９】
そして、上記情報集約・蓄積サーバは、上記固定型通信端末から受信した複数の狭指向性の焦電型赤外線センサのＯＮ状態の発生頻度および複数のセンサが時間的にずれてＯＮ状態になる時系列変化と、ＣＯ２センサ値の上昇の検出値とによって、広い範囲内での室内活動度情報を生成するサーバである。
【０１５０】
また、上記情報集約・蓄積サーバは、上記固定型通信端末から受信した複数の狭指向性の焦電型赤外線センサのＯＮ状態の同時発生頻度および時系列変化と、通過型赤外線センサ値、ＣＯ２センサ値の上昇の検出値、音圧値の上昇の検出値の少なくとも１つとによって、来客情報を生成するサーバである。
【０１５１】
さらに、上記情報集約・蓄積サーバは、上記固定型通信端末から受信した焦電型赤外線センサのＯＮ／ＯＦＦ状態と、光センサ値、温度センサ値、音圧値のうちの少なくとも１つとによって、起床就寝情報を生成するサーバである。
【０１５２】
そして、上記情報集約・蓄積サーバは、複数の焦電型赤外線センサのＯＮ状態の発生頻度および時系列変化、特定の焦電型赤外線センサのＯＮ状態、ＣＯ２センサ値、調理臭センサ値、水蒸気センサ値のうちの少なくとも１つによって、食事中であることを示す食事情報を生成するサーバである。
【０１５３】
また、上記情報集約・蓄積サーバは、光量センサ値、温度センサ値、音圧値と、適正値を比較することによって生活環境情報を生成するサーバである。
【０１５４】
さらに、上記情報集約・蓄積サーバは、在室情報、来客情報に基づいて、短期的または長期的な個人傾向として、コミュニケーション度情報を生成するサーバである。
【０１５５】
そして、上記情報集約・蓄積サーバは、バイタル情報、センサ情報から生成した体調情報、生理的行動情報（起床就寝情報、食事情報）、能動的行動情報（在室情報、室内活動度情報、来客情報、コミュニケーション度情報）、生活環境情報（快適度情報）である各情報種別に基づいて、各利用者の各情報の値の変化（大きさと速度）（緊急度）を算出し、要即時対応、要早期連絡、要カウンセリング・生活指導を判断し、上記情報種別と緊急度とに応じて、予め設定した各状況に適切な緊急通報先に自動通報するサーバである。
【０１５６】
また、上記情報集約・蓄積サーバは、バイタル情報、センサ情報に基づいて生成した体調情報、生理的行動情報（起床就寝情報、食事情報）、能動的行動情報（在室情報、室内活動度情報、来客情報、コミュニケーション度情報）、生活環境情報（快適度情報）である各情報種別の蓄積データを、予め設定した各状況に適切な提供先に送信するサーバである。
【０１５７】
さらに、上記情報集約・蓄積サーバは、生成したバイタル情報、生理的行動情報、能動的行動情報、生活環境情報、それに基づいた専門家によるカウンセリング結果のうちの少なくとも１つを、電話機、ＦＡＸ端末、携帯型通信端末のうちの少なくとも１つの液晶画面に表示するか、またはＦＡＸで通知するサーバである。
【０１５８】
また、見守り専用端末４００は、電話網接続手段またはインターネット網接続手段と、出力制御手段と、アラーム管理データベースと、緊急状態表示手段と、表示パタン管理データベースと、生活活動情報表示手段と、バイタル情報表示手段とを有し、高齢者の緊急時における対応に利用する緊急状態情報、高齢者の生活指導やカウンセリングに利用する生活スタイル情報、身体的または心情的変化の早期発見を促す高齢者の最近の状態およびバイタル情報、現在の状態およびバイタル情報を表示する機能、または、高齢者とのリアルタイムなコミュニケーションを行う機能を有することを特徴とする見守り専用端末の例である。
【０１５９】
また、上記見守り専用端末は、在室／不在を示すインジケータと、来客の有無を示すインジケータと、起床状況を示すインジケータと、食事中か否かを示すインジケータと、生活空間の快適度を示すインジケータと、活動度を示すインジケータとを有し、情報集約・蓄積サーバで加工した情報であって、利用者の現在の情報を表示する見守り専用端末である。
【０１６０】
さらに、上記見守り専用端末は、利用者のデータの統計値、今日１日または最近数日の利用者のデータ値および同年代の統計値を表示し、対外接触度、室内活動度、睡眠時間、食事回数に関するインジケータを有し、最近の利用者とその生活空間の状態とを表示する見守り専用端末である。
【０１６１】
そして、上記見守り専用端末は、利用者のデータの統計値および同年代の統計値を表示し、対外接触度、室内活動度、睡眠時間、食事回数に関するインジケータと、個人情報を示し、入力することも可能なプロフィール欄とを有し、利用者の生活習慣や生活スタイルを表示する見守り専用端末である。
【０１６２】
また、上記見守り専用端末は、情報集約・蓄積サーバで加工した生活活動情報、バイタル情報のうちで、少なくとも1つの情報が、設定したスレッショルド値を超えた場合に、自動的に異常事態であると判別し、アラームを点灯するか、または電話網、インターネット網を経由して。自動的に通報する見守り専用端末である。
【０１６３】
さらに、上記見守り専用端末は、多数の利用者のアラーム状況を、１つの画面で同時に参照することができ、並び替えを行う見守り専用端末である。
【０１６４】
そして、上記見守り専用端末は、アラームを点灯する機能、または、電話網やインターネット網を経由して自動的に通報する条件であるスレッショルドを個人毎に設定する機能を有する見守り専用端末である。
【０１６５】
また、上記見守り専用端末は、リアルタイム情報、最近の情報、長期的な情報のうちで、少なくとも１つの情報を表示し、それらの表示画面を、階層的にリンクさせ、切り替えて表示する見守り専用端末である。
【０１６６】
通信システムＣＳ１は、バックグラウンドコミュニケーション（人が無意識に発する情報や周辺環境の情報をセンシングし、自動的に送受信するコミュニケーション）と、明示的コミュニケーション（音声・映像の送受信によるコミュニケーション）とを、状況に応じて選択的に利用する（自動的に遷移する）。つまり、自動的な送受信と、軽い合図のやり取りと、映像・音声のやり取りとを選択する。したがって、従来の見守りサービスのような負担感、負債感のない見守りサービスを実現することができ、また、専門知識を要しないので、新たなプレイヤも参加可能である。
【０１６７】
具体的には、通信システムＣＳ１を、見守り専用端末４００（またはＷｅｂアプリケーション）＋情報集約・蓄積サーバ３００＋固定端末＋ＴＶ電話・電話によって実現でき、また、見守り専用端末４００（またはＷｅｂアプリケーション）＋情報集約・蓄積サーバ３００＋センサ付携帯電話によっても実現でき、さらには、見守り専用端末４００（Ｗｅｂアプリケーション）＋情報集約・蓄積サーバ３００＋電話機（またはＦＡＸ接続固定端末）によっても実現できる。
【０１６８】
通信システムＣＳ１によるコミュニケーションによって自動的に取得される情報（コミュニケーション行動や室内活動等）と、自動的または手動で入力するバイタル情報とを利用するので、利用者の負荷が少ない。
【０１６９】
通信システムＣＳ１における見守りサービスにおいて、リアルタイム・最近の状態を表示するので、従来のような身体的な異変の検出だけでなく、心情的な変化も察知することができ、効率的な声かけ、きめ細かいケアが可能である。また、長期の状態を表示するので、個人の生活スタイルの把握によって、個人適応したケア、カウンセリング、生活指導等が可能である。さらには、情報の種別に応じた通報先へ緊急状態を通知するので、緊急時の対応を分担し、よって、医療機関ＯＧ３や福祉専門機関ＯＧ１等への負荷の集中を軽減（負荷分散）することができる。
【０１７０】
通信システムＣＳ１における健康促進サービスにおいて、コミュニケーションを行ううちに自動的に取得されるセンシング情報を利用するので、従来のような意識的に行わなければならない健康管理では、面倒になり次第に利用されなくなるが、通信システムＣＳ１においては、そのための負荷がほとんどなく（軽負荷で）、健康促進が可能である。
【０１７１】
また、通信システムＣＳ１において、センシング情報に基づいたフィードバックを続けることによって、手動での意識的な入力が必要な装置に対する使用意識が促進される。
【０１７２】
さらに、通信システムＣＳ１において、センシング情報とバイタル情報とを総合的に提示し、集約情報や生活指導・カウンセリング情報を本人へ、メール、Ｗｅｂブラウザ、ＦＡＸ等によって通知する（フィードバックする）。
【０１７３】
そして、従来のバイタル情報のみを扱うシステムでは、実際の生活とマッチングさせてカウンセリングすることが難しいが、通信システムＣＳ１では、身体的な情報と生活スタイルや心情的な情報とを提供することができるので、より質の高いカウンセリングが可能である。
【０１７４】
すなわち、上記実施例によれば、次の利点がある。
【０１７５】
（１）  状況に応じたコミュニケーション手段の使い分けが可能であるので、遠隔地にいる人同士による円滑なコミュニケーションを促し、人間関係の維持・構築と利用者のＱｏＬ向上とに貢献することができる。
【０１７６】
（２）  コミュニケーション欲求を満たす手段を提供するので、緊急通報システムにおいて多発している誤報（話し相手が欲しかった、寂しかった）、遠慮による不使用の根本原因を排除することができる。
【０１７７】
（３）  従来のような身体的な異変を検出するだけでなく、行動の変化や心情的な変化の把握や、個人の生活傾向の把握が可能になる。
【０１７８】
（４）  生理的状態、能動的行動状態、心情的状態の各状態について、リアルタイムの状態、最近の状態を提示するので、従来のように身体的な異変を検出するだけでなく、行動の変化や心情的な変化の把握が可能になり、効率的な声かけや、きめ細かいサービスが可能になる。
【０１７９】
（５）  生理的状態、能動的行動状態、心情的状態の各状態について、長期の状態を提示することによって、個人の生活スタイルや傾向の把握が可能になり、個人に適したケアやカウンセリング、生活指導が可能になる。
【０１８０】
（６）  異常が発生した状態の種別毎に、通報する機関を変えて自動通報することによって、特定の機関への負荷集中を軽減することができ、緊急時の対応をより迅速で適切なものにすることが可能になる。また、負荷分散によって対応のために保有すべき専門知識が限定され、緊急状態の種類によっては、専門知識が必要なくなるので、友人や地域住民、新規サービス提供者等、これまでよりも多くのプレイヤが参加することが可能であり、福祉専門機関や家族等、従来の見守りサービスのプレイヤの負担を軽減することができる。
【０１８１】
（７）  生理的状態、能動的行動状態、心情的状態の情報を統合的に提供するので、身体面のみならず、生活習慣や行動、心情面をも加味した健康維持・促進に関する指導やカウンセリング、自身による健康維持・促進を行うことが可能になる。
【０１８２】
（８）  初期段階では、コミュニケーションによって自動的に取得されるセンシング情報（コミュニケーション行動や生活活動等）のみを利用してフィードバックを行い、利用者の要望に応じて段階的にバイタル情報を付加して利用できるので、手動での意識的な入力が必要なバイタルセンサの利用に対する抵抗感を軽減することができる。
【図面の簡単な説明】
【０１８３】
【図１】本発明の実施例１である通信システムＣＳ１の構成を示す図である。
【図２】本発明の実施例２である固定型通信端末１００の構成例を示す図である。
【図３】固定型通信端末１００における入出力デバイスの構成例を示す図である。
【図４】本発明の実施例３である固定型通信端末１００ａの構成を示すブロック図である。
【図５】固定型通信端末１０ａにおける入出力デバイスの構成例の図である。
【図６】情報集約・蓄積サーバ３００の構成例を示す図である。
【図７】生活活動情報加工手段３１３の動作を示すフローチャートである。
【図８】見守り専用端末４００の表示画面が表示する第１の表示例を示す図である。
【図９】実施例１における在室情報、室内活動度情報、来客情報の算出方法の例を示す図である。
【図１０】緊急連絡先管理データベース３４３に格納されている情報の例を示す図である。
【図１１】本発明の実施例６である見守り専用端末４００の構成を示す図である。
【図１２】見守り専用端末４００における第２の表示例におけるメイン画面例１を示す図であり、固定型通信端末１００と情報集約・蓄積サーバ３００とを用いた場合において、見守り専用端末４００における第２の表示例を示す図である。
【図１３】見守り専用端末４００における第２の表示例であるメイン画面例２を示す図であり、Ｗｅｂブラウザで参照する場合におけるメイン画面例２を示す図である。
【図１４】見守り専用端末４００における第２の表示例で使用する並び順設定画面を示す図である。
【図１５】見守り専用端末４００における第２の表示例で使用する詳細表示画面を示す図である。
【図１６】見守り専用端末４００における第２の表示例で使用するアラーム設定画面を示す図である。
【符号の説明】
【０１８４】
ＣＳ１…通信システム、
１００、１００ａ…固定型通信端末、
２００…携帯型通信端末、
３００…情報集約・蓄積サーバ、
４００…見守り専用端末、
ＯＧ１…福祉専門機関、
ＯＧ２…緊急時対応機関、
ＯＧ３…医療機関、
Ｕ１、Ｕ２…利用者、
Ｔ…固定電話。
【図１】
2006085390.tif 000003
【図２】
2006085390.tif 000004
【図３】
2006085390.tif 000005
【図４】
2006085390.tif 000006
【図５】
2006085390.tif 000007
【図６】
2006085390.tif 000008
【図７】
2006085390.tif 000009
【図８】
2006085390.tif 000010
【図９】
2006085390.tif 000011
【図１０】
2006085390.tif 000012
【図１１】
2006085390.tif 000013
【図１２】
2006085390.tif 000014
【図１３】
2006085390.tif 000015
【図１４】
2006085390.tif 000016
【図１５】
2006085390.tif 000017
【図１６】
2006085390.tif 000018